(57)【特許請求の範囲】
【請求項１】
電話機能を有する本体筐体と、前記本体筐体の背面に積層されるオプション筐体と、前記オプション筐体に設けられ筐体積層方向に沿う回動支点軸と、前記本体筐体および前記オプション筐体に設けられ前記回動支点軸が挿入される回動支点穴とを備え、
前記回動支点軸を中心に前記本体筐体および前記オプション筐体が相対回動可能となり、かつ複数種類の前記オプション筐体が前記本体筐体の背面に選択的に任意段数積層可能な積層型携帯端末において、
筺体間を電気的に接続するスルー接点を、前記オプション筐体の回動支点軸上面および回動支点穴底面に設け、回転した前記オプション筐体を前記本体筐体および隣接する前記オプション筐体に導通させる信号導通接点を、前記本体筐体の回動支点穴底面と、前記オプション筐体の前記回動支点軸上面とに設け、
相対回転していない隣接筺体の前記スルー接点同士を接触させるとともに、前記本体筺体に対して所定角度相対回転した前記オプション筐体の前記信号導通接点を、直接的または前記スルー接点を介して前記本体筺体の前記信号導通接点に導通させる積層型携帯端末。
【請求項２】
前記回動支点軸または前記回動支点穴のいずれか一方の円周面上に突出または侵入可能に設けられた可動式のロック部材と、
前記回動支点軸または前記回動支点穴のいずれか他方の円周面上に設けられ隣接筐体の相対回転がない際および隣接筐体が所定角度相対回転した際に前記ロック部材が係合可能なロック溝とを備え、
選択した前記オプション筐体が所定角度相対回転した際に前記本体筐体と前記オプション筺体、または隣接のオプション筐体同士が解除可能にロックする請求項１に記載の積層型携帯端末。
【請求項３】
隣接した前記オプション筐体が装着されていない前記回動支点穴に、着脱可能な蓋部材を設けた請求項１または請求項２に記載の積層型携帯端末。
【請求項４】
選択された前記オプション筐体が隣接する前記本体筐体および前記オプション筐体に対して所定角度相対回転した際に、選択された前記オプション筐体の種類を検出するためのオプション筐体検出接点を前記本体筐体および前記オプション筐体に設けた請求項１ないし請求項３のいずれかに記載の積層型携帯端末。
【請求項５】
前記本体筐体と前記オプション筐体、および隣接する前記オプション筐体同士の相対的な回転角度を検出する角度検出部材を前記本体筐体および前記オプション筐体に設けた請求項１ないし請求項４のいずれかに記載の積層型携帯端末。
【請求項６】
前記回動支点軸または前記回動支点穴のいずれか一方の円周面上に突出または侵入可能に設けられた可動式の複数の爪部材と、
前記回動支点軸または前記回動支点穴のいずれか他方の円周面上に設けられ前記複数の爪部材が係合する爪部材係合溝とを備え、
前記爪部材と前記爪部材係合溝とによって隣接する筐体間を回動可能に保持する請求項１ないし請求項５のいずれかに記載の積層型携帯端末。
【請求項７】
前記本体筐体の回動支点穴中心部にタップを設け、前記本体筐体に対して隣接する前記オプション筐体を回動可能にネジで固定するとともに、前記ネジの中心にはさらに隣接する前記オプション筐体を回動可能に固定するための前記ネジが螺合するタップが設けられた請求項１ないし請求項５のいずれかに記載の積層型携帯端末。
【請求項８】
前記スルー接点、前記信号導通接点および前記オプション検出接点が、発光素子と受光素子との組合せからなる請求項１ないし請求項７のいずれかに記載の積層型携帯端末。
【請求項９】
少なくとも電話機能を有する本体ユニットと、前記本体ユニットの電話機能に追加する他の機能を有し、前記本体ユニットに対して突出自在で、かつ着脱交換自在に積層された１個以上のオプションユニットとを有し、複数のオプションユニットは、本体に近い側を上位オプションユニットとして設定し、最上位のオプションユニットを突出させて使用状態とした時に、このオプションユニットの情報伝達用接点を直接本体ユニットの情報伝達用接点に接続させて情報伝達経路を形成し、最上位以外のオプションユニットを突出させて使用状態とした時には、当該オプションユニットの情報伝達用接点を上位にあるオプションユニットの中継用接点を介して本体ユニットの情報伝達用接点に接続することで情報伝達経路を形成した携帯端末。
【請求項１０】
本体ユニットと最上位のオプションユニット、および各オプションユニットは、回動自在に連結した請求項９記載の携帯端末。
【請求項１１】
各オプションユニットは、情報伝達用接点及び中継用接点をそれぞれ具備した請求項９記載の携帯端末。
【請求項１２】
各オプションユニットは、上面と下面の一方に軸支持用凹部を、他方に前記凹部で軸支可能な構成の回動軸をそれぞれ形成し、さらに本体ユニットの下面には、オプションユニットの軸支持用凹部と対応する回動軸または前記オプションユニットの回動軸と対応する凹部のいずれか一方を形成した請求項１０記載の携帯端末。
【請求項１３】
各オプションユニットの回動軸外周面と軸支持用凹部内周面に中継用接点をそれぞれ設けた請求項１２記載の携帯端末。
【請求項１４】
各オプションユニットの回動軸の先端面と軸支持用凹部の底面に中継用接点をそれぞれ設けた請求項１２記載の携帯端末。
【請求項１５】
回動軸と軸支持用凹部との間に、オプションユニットを積層状態にした時、および突出状態にした時、クリック感を発生させるための係合部と被係合部を形成した請求項１２記載の携帯端末。
【請求項１６】
回動軸と軸支持用凹部との間に、相係合する爪と溝を形成し、前記溝は周方向に所定の長さに設定した請求項１２記載の携帯端末。
【請求項１７】
各オプションユニットの使用状態検知部を設けた請求項１２記載の携帯端末。
【請求項１８】
前記使用状態検知部は、本体ユニットと最上位のオプションユニットとの間および隣接するオプションユニットの間に形成された、ホール素子と磁石である請求項１７記載の携帯端末。
【請求項１９】
最下位のオプションユニットの前記軸支持用凹部を塞ぐふたを有する請求項１２の携帯端末。
【発明の詳細な説明】
【技術分野】
【０００１】
本発明は、積層された複数の筐体が、積層方向に沿う軸を介して回動自在となった積層型携帯端末に関するものである。
【背景技術】
【０００２】
近年、電話としての機能を有する本体筐体と、この本体筐体の背面に積層されることにより機能部が隠蔽される単一のオプション筐体と、本体筐体およびオプション筐体の積層方向に沿う軸とを備え、この軸を中心として本体筐体およびオプション筐体が相対的に回動することにより、オプション筐体の機能部が露呈可能になったリボルバータイプの携帯端末が提案されている。
この種の携帯端末では、オプション筐体が回動されることで、機能部が露呈されるので、機能部増設用の新たな面積を確保することができる。これにより、例えばフルキーボード等の搭載も可能となり、携帯端末の一層の多機能化や利便性の向上が図られている。
【非特許文献１】au design project、"コンセプトモデル一覧"、"Apollo(2002)"、KDDI、［平成１６年８月１７日検索］、  インターネットURL:http://www.au.kddi. com/au_design_project/models/
【発明の開示】
【発明が解決しようとする課題】
【０００３】
しかしながら、上記した従来のリボルバータイプの携帯端末は、多機能化や利便性の向上を図る目的で、本体筐体の背面に、露呈可能な単一のオプション筐体のみを回動自在に固定するものであるため、機能部増設用として新たに拡張できる面積にも限界があった。
そして、さらに近年では、使用者のニーズが多様化、高度化、並列化しつつあり、オプション筐体の自在な選択や複数の増設が行える携帯端末が求められている。
【０００４】
本発明は、上記状況に鑑みてなされたもので、本体筐体の背面に積層されるオプション筐体の自在な選択や所望数の増設が行える積層型携帯端末を提供することを目的とする。
【課題を解決するための手段】
【０００５】
本発明の積層型携帯端末は、電話機能を有する本体筐体と、前記本体筐体の背面に積層されるオプション筐体と、前記オプション筐体に設けられ筐体積層方向に沿う回動支点軸と、前記本体筐体および前記オプション筐体に設けられ前記回動支点軸が挿入される回動支点穴とを備え、前記回動支点軸を中心に前記本体筐体および前記オプション筐体が相対回動可能となり、かつ複数種類の前記オプション筐体が前記本体筐体の背面に選択的に任意段数積層可能な積層型携帯端末において、筺体間を電気的に接続するスルー接点を、前記オプション筐体の回動支点軸上面および回動支点穴底面に設け、回転した前記オプション筐体を前記本体筐体および隣接する前記オプション筐体に導通させる信号導通接点を、前記本体筐体の回動支点穴底面と、前記オプション筐体の前記回動支点軸上面とに設け、相対回転していない隣接筺体の前記スルー接点同士を接触させるとともに、前記本体筺体に対して所定角度相対回転した前記オプション筐体の前記信号導通接点を、直接的または前記スルー接点を介して前記本体筺体の前記信号導通接点に導通させる構成を有している。
【０００６】
この構成により、異なる複数種類のオプション筐体の中から、必要なもののみが、必要な数だけ本体筐体の背面に積層可能となり、使用者のニーズに合わせて所望のオプション筐体が選択可能、および増設可能となる。また、オプション筐体を増設する際に使用者は筐体間の電気的な接続を行う必要がなく、オプション筐体の増設が容易になる。さらに、本体筐体とオプション筐体、またはオプション筐体同士を回動させる際に、電気的に導通させる接点部を必要最低限の接点同士間だけ接触させることで、接点の摩耗を低減できる。
【０００７】
また、本発明の積層型携帯端末は、前記回動支点軸または前記回動支点穴のいずれか一方の円周面上に突出または侵入可能に設けられた可動式のロック部材と、前記回動支点軸または前記回動支点穴のいずれか他方の円周面上に設けられ隣接筐体の相対回転がない際および隣接筐体が所定角度相対回転した際に前記ロック部材が係合可能なロック溝とを備え、選択した前記オプション筐体が所定角度相対回転した際に前記本体筐体と前記オプション筺体、または隣接のオプション筐体同士が解除可能にロックする構成を有している。
【０００８】
この構成により、選択したオプション筐体が所定の角度分の回転したことを使用者に知らせるためのクリック感を提供するとともに、その位置で本体筐体およびオプション筐体間の相対回転位置を保持することができる。
【０００９】
また、本発明の積層型携帯端末は、隣接した前記オプション筐体が装着されていない前記回動支点穴に、着脱可能な蓋部材を設けた構成を有している。
【００１０】
この構成により、オプション筐体を使用していない場合に露呈する回動支点穴を塞ぎ、回動支点穴部分へのほこりや液体の進入を防止することで、回動動作不良や接点不良を防止することができる。
【００１１】
また、本発明の積層型携帯端末は、選択された前記オプション筐体が隣接する前記本体筐体および前記オプション筐体に対して所定角度相対回転した際に、選択された前記オプション筐体の種類を検出するためのオプション筐体検出接点を前記本体筐体および前記オプション筐体に設けた構成を有している。
【００１２】
この構成により、任意のオプション筐体を増設したときに、選択したオプション筐体の種類が自動的に検出可能になり、使用者によるオプション筐体の種類の設定が不要となって、使用者によるオプション筐体の選択および増設を容易にすることができる。
【００１３】
また、本発明の積層型携帯端末は、前記本体筐体と前記オプション筐体、および隣接する前記オプション筐体同士の相対的な回転角度を検出する角度検出部材を前記本体筐体および前記オプション筐体に設けた構成を有している。
【００１４】
この構成により、使用者が選択したオプション筐体の相対角度により、そのオプション筐体の機能を切り換えるので、使用者によるオプション筐体の選択を不要にして操作性を高め、多機能な積層型携帯端末を実現することができる。
【００１５】
また、本発明の積層型携帯端末は、前記回動支点軸または前記回動支点穴のいずれか一方の円周面上に突出または侵入可能に設けられた可動式の複数の爪部材と、前記回動支点軸または前記回動支点穴のいずれか他方の円周面上に設けられ前記複数の爪部材が係合する爪部材係合溝とを備え、前記爪部材と前記爪部材係合溝とによって隣接する筐体間を回動可能に保持する構成を有している。
【００１６】
この構成により、回動支点軸を回動支点穴へ挿入することで、回動支点軸と回動支点穴との円周面上に設けた複数の爪部材と爪部材係合溝とが係合し、使用者によるオプション筐体の増設を容易にすることができる。
【００１７】
また、本発明の積層型携帯端末は、前記本体筐体の回動支点穴中心部にタップを設け、前記本体筐体に対して隣接する前記オプション筐体を回動可能にネジで固定するとともに、前記ネジの中心にはさらに隣接する前記オプション筐体を回動可能に固定するための前記ネジが螺合するタップが設けられた構成を有している。
【００１８】
この構成により、本体筐体に、オプション筐体を固定したネジに対して、さらに任意の数のネジを螺合して行くことで、複数のオプション筐体が回動可能に積層され、使用者によるオプション筐体の増設を容易にすることができる。
【００１９】
さらに、本発明の積層型携帯端末は、前記スルー接点、前記信号導通接点および前記オプション検出接点が、発光素子と受光素子との組合せからなる構成を有している。
【００２０】
この構成により、本体筐体とオプション筐体との間の信号の送受、およびオプション筐体同士間の信号の送受が、発光素子と受光素子との非接触の光の送受によって可能となり、スルー接点、信号導通接点およびオプション検出接点の摩耗を防止することができる。
【００２１】
また、本発明は、少なくとも電話機能を有する本体ユニットと、前記本体ユニットの電話機能に追加する他の機能を有し、前記本体ユニットに対して突出自在で、かつ着脱交換自在に積層された１個以上のオプションユニットとを有し、最上位のオプションユニットを突出させて使用状態とした時に、このオプションユニットの情報伝達用接点を直接本体ユニットの情報伝達用接点に接続させて情報伝達経路を形成し、最上位以外のオプションユニットを突出させて使用状態とした時には、当該オプションユニットの情報伝達用接点を上位にあるオプションユニットの中継用接点を介して本体ユニットの情報伝達用接点に接続することで情報伝達経路を形成した構成にしている。
【発明の効果】
【００２２】
本発明は、異なる複数種類のオプション筐体の中から、必要なもののみが、必要な数だけ本体筐体の背面に積層可能となり、使用者のニーズに合わせて所望のオプション筐体が選択可能、および増設可能となる。また、オプション筐体を増設する際に使用者は筐体間の電気的な接続を行う必要がなく、オプション筐体の増設が容易になる。さらに、本体筐体とオプション筐体、またはオプション筐体同士を回動させる際に、電気的に導通させる接点部を必要最低限の接点同士間だけ接触させることで、接点の摩耗を低減できる積層型携帯端末を提供することができる。
【００２３】
また、本発明の携帯端末は、本体ユニットの下位に１個以上のオプションユニットを着脱交換自在に積層でき、使用者が希望する機能の追加や削除や変更が可能となり、携帯端末の使い勝手が向上するという効果を奏するものである。
【発明を実施するための最良の形態】
【００２４】
以下、本発明に係る積層型携帯端末の実施形態について、図面を用いて説明する。
本発明に係る積層型携帯端末の第１実施形態を図１〜図９に示す。
図１は本発明の第１実施形態における積層型携帯端末の斜視図、図２は本発明の第１実施形態における積層型携帯端末の分解斜視図、図３は本発明の第１実施形態における積層型携帯端末の本体筐体上面を示す斜視図、図４は本発明の第１実施形態における積層型携帯端末の本体筐体下面を示す斜視図、図５は本発明の第１実施形態における積層型携帯端末の本体筐体に設けた回動支点穴を示す下面図、図６は本発明の第１実施形態における積層型携帯端末のオプション筐体上面を示す斜視図、図７は本発明の第１実施形態における積層型携帯端末のオプション筐体下面を示す斜視図、図８は本発明の第１実施形態における積層型携帯端末のオプション筐体に設けた回動支点軸を示す上面図、図９は本発明の第１実施形態における積層型携帯端末のオプション筐体に設けた回動支点穴を示す下面図である。
【００２５】
本実施形態における積層型携帯端末１００は、電話として機能する本体筐体１１０と、本体筐体１１０の背面に積層されることにより機能部が隠蔽される複数のオプション筐体１２０で構成されている。本体筐体１１０は少なくとも通常の通話操作に使用される表示部１１１と操作部１１２を備える。また、本体筐体１１０は図示していない受話部、送話部、着信スピーカ、送受信部、データ変換部、音声処理部、画像処理部、情報記録部を備える。
【００２６】
図１および図２に示すように、オプション筐体１２０としては、フルキーボード１２１ａを備えたフルキーボード用オプション筐体１２１、スピーカ１２２ａを備えたスピーカ用オプション筐体１２２、入力キー１２３ａや十字キー１２３ｂを備えたゲーム用オプション筐体１２３等を挙げることができる。また、その他の例としては、図２０〜２５に示すカメラ１２４ａと液晶画面１２４ｂを備えたカメラ用オプション筐体１２４、図２６と図２７に示す液晶画面１２５ａを備えたテレビ用オプション筐体１２５、図３３に示すスライドパッド１２６を備えたオプション筐体等を挙げることができる。
【００２７】
図２〜図５に示すように、本体筐体１１０にはオプション筐体１２０を構成する筐体（例えばフルキーボード用オプション筐体１２１、スピーカ用オプション筐体１２２、ゲーム用オプション筐体１２３）に設けた回動支点軸１３０が挿入される回動支点穴１３１と、回動支点穴１３１の底面１３１ａ付近に図４に示す爪部材係合溝１３３が設けられている。
【００２８】
また、図７〜図９に示すように、オプション筐体１２０を構成する筐体（例えばフルキーボード用オプション筐体１２１、スピーカ用オプション筐体１２２、ゲーム用オプション筐体１２３）にも回動支点軸１３０が挿入される回動支点穴１３１と、回動支点穴１３１の底面１３１ａ付近に爪部材係合溝１３３が設けられている。
【００２９】
また、図６に示すように、オプション筐体１２０を構成する筐体（例えばフルキーボード用オプション筐体１２１、スピーカ用オプション筐体１２２、ゲーム用オプション筐体１２３）に設けた回動支点軸１３０の上面１３０ａ付近には、回動支点軸１３０の円周面１３０ｂに対して突出および侵入可能な複数の爪部材１３２が設けられている。複数の爪部材１３２は図示していない弾性部品で回動支点軸１３０の円周面１３０ｂに対して突出する方向に付勢されている。
【００３０】
本体筐体１１０と、オプション筐体１２０を構成する筐体（例えばフルキーボード用オプション筐体１２１、スピーカ用オプション筐体１２２、ゲーム用オプション筐体１２３）とは、回動支点軸１３０が回動支点穴１３１に挿入されるとともに、複数の爪部材１３２が爪部材係合溝１３３に係合することにより、本体筐体１１０に対して隣接するオプション筐体１２０が回動可能に固定される。また、オプション筐体１２０を構成する筐体同士も、回動支点軸１３０が回動支点穴１３１に挿入されるとともに、複数の爪部材１３２が爪部材係合溝１３３に係合することにより、隣接する一方のオプション筐体１２０に対して他方のオプション筐体１２０が回動可能に固定される。
【００３１】
また、オプション筐体１２０を構成する筐体（例えばフルキーボード用オプション筐体１２１、スピーカ用オプション筐体１２２、ゲーム用オプション筐体１２３）の装着または離脱時には、使用者が図示しない爪部材侵入機構を操作することにより複数の爪部材１３２が回動支点軸１３０の円周面１３０ｂに対して侵入し、オプション筐体１２０の装着または離脱時の負荷を低減できるようになっている。
【００３２】
なお、回動支点軸１３０と複数の爪部材１３２、回動支点穴１３１と爪部材係合溝１３３は本体筐体１１０やオプション筐体１２０を構成するすべての筐体（例えばフルキーボード用オプション筐体１２１、スピーカ用オプション筐体１２２、ゲーム用オプション筐体１２３）において統一されている。
つまり、異なる複数種類のオプション筐体１２０の中から、必要なもののみが、必要な数だけ本体筐体１１０の背面に積層可能になるように構成されている。
【００３３】
図５に示すように、本体筐体１１０に設けた回動支点穴１３１の底面１３１ａには、オプション筐体１２０への電力の供給、またはオプション筐体１２０への操作で発生した電気信号を本体筐体１１０に伝達するためにオプション筐体１２０と電気的な導通をとるための複数の信号導通接点バネ１４０が設けられている。
【００３４】
また、図８に示すように、オプション筐体１２０を構成するすべての筐体（例えばフルキーボード用オプション筐体１２１、スピーカ用オプション筐体１２２、ゲーム用オプション筐体１２３）に設けた回動支点軸１３０の上面１３０ａには、本体筐体１１０に設けた複数の信号導通接点バネ１４０と接触し、オプション筐体１２０への電力の供給、またはオプション筐体１２０への操作で発生した電気信号を本体筐体１１０に伝達するためにオプション筐体１２０と電気的な導通をとるための複数のスルー接点１４１と複数の信号導通接点１４３が設けられている。
また、スルー接点１４１と信号導通接点１４３周辺には接点カバー１５０が設けられており、スルー接点１４１と信号導通接点１４３がオプション筐体１２０の表面に突出しないように構成されている。
【００３５】
また、図９に示すように、オプション筐体１２０を構成するすべての筐体（例えばフルキーボード用オプション筐体１２１、スピーカ用オプション筐体１２２、ゲーム用オプション筐体１２３）に設けた回動支点穴１３０の底面１３１ａには、隣接するオプション筐体１２０に設けたスルー接点１４１や信号導通接点１４３に接触し、オプション筐体１２０への電力の供給、またはオプション筐体１２０への操作で発生した電気信号を本体筐体１１０に伝達するためにオプション筐体１２０と電気的な導通をとるための複数のスルー接点バネ１４２が設けられている。
【００３６】
なお、オプション筐体１２０を構成するすべての筐体（例えばフルキーボード用オプション筐体１２１、スピーカ用オプション筐体１２２、ゲーム用オプション筐体１２３）に設けた複数のスルー接点１４１と複数のスルー接点バネ１４２は、表裏対をなすスルー接点１４１とスルー接点バネ１４２同士がバスバー等を介して電気的に直結されるように構成されている。
【００３７】
また、オプション筐体１２０を構成するすべての筐体（例えばフルキーボード用オプション筐体１２１、スピーカ用オプション筐体１２２、ゲーム用オプション筐体１２３）に設けた信号導通接点１４３は、それぞれのオプション筐体１２０への操作で発生した電気信号を本体筐体１１０あるいは隣接したオプション筐体１２０に伝達するように構成されている。
【００３８】
次に、複数の信号導通接点バネ１４０、複数のスルー接点１４１、複数のスルー接点バネ１４２、複数の信号導通接点１４３の位置について図１、図３、図４、図５、図６、図７、図８、図９を用いて説明する。
図１および図２に示すように、本体筐体１１０の背面にはオプション筐体１２０が、フルキーボード用オプション筐体１２１、スピーカ用オプション筐体１２２、ゲーム用オプション筐体１２３の順で積層されており、再下段に積層されたゲーム用オプション筐体１２３の機能部（入力キー１２３ａや十字キー１２３ｂ）が本体筐体１１０から露呈した状態（本体筐体１１０に対して相対角度が２７０°）に保持されている。
【００３９】
使用者がゲーム用オプション筐体１２３の機能部（入力キー１２３ａや十字キー１２３ｂ）に対して操作を行った場合、その電気信号はゲーム用オプション筐体１２３の回動支点軸１３０の上面１３０ａに設けた信号導通接点１４３に伝達される。
この状態では、ゲーム用オプション筐体１２３の信号導通接点１４３と隣接するスピーカ用オプション筐体１２２の複数のスルー接点バネ１４２が接触しており、ゲーム用オプション筐体１２３の機能部（入力キー１２３ａや十字キー１２３ｂ）に対して操作を行った際に発生した電気信号はスピーカ用オプション筐体１２２の複数のスルー接点バネ１４２に伝達される。
【００４０】
さらに、スピーカ用オプション筐体１２２に設けた複数のスルー接点１４１とスピーカ用オプション筐体１２２に設けた複数のスルー接点バネ１４２は表裏対をなすスルー接点１４１とスルー接点バネ１４２同士が電気的に直結されるため、ゲーム用オプション筐体１２３の機能部（入力キー１２３ａや十字キー１２３ｂ）に対して操作を行った際に発生した電気信号はスピーカ用オプション筐体１２２に設けた複数のスルー接点１４１に伝達される。同様の電気的な接続により、ゲーム用オプション筐体１２３の機能部（入力キー１２３ａや十字キー１２３ｂ）に対して操作を行った際に発生した電気信号はフルキーボード用オプション筐体１２１に設けた複数のスルー接点１４１に伝達される。
【００４１】
さらに、この状態では、フルキーボード用オプション筐体１２１に設けた複数のスルー接点１４１と本体筐体１１０に設けた複数の信号導通接点バネ１４０は接触しており、これにより、ゲーム用オプション筐体１２３の機能部（入力キー１２３ａや十字キー１２３ｂ）に対して操作を行った際に発生した電気信号は本体筐体１１０に伝達され、ゲーム用オプション筐体１２３の機能部（入力キー１２３ａや十字キー１２３ｂ）に対して行われた操作が電気的に認識できるようになっている。
【００４２】
また、本体筐体１１０からゲーム用オプション筐体１２３への電力供給は上記と逆の順序で伝達される。使用者が他のオプション筐体１２０（フルキーボード用オプション筐体１２１、スピーカ用オプション筐体１２２）を選択、回動した場合にも同様の電気的接続により、回動したそれぞれのオプション筐体１２０のみの機能部を操作することができる。
【００４３】
また、本実施形態の各接点と各接点バネの配置では、使用者がオプション筐体１２０を本体筐体１１０あるいは隣接するオプション筐体に対して相対角度が９０°の位置に回動した場合にも同様にオプション筐体１２０の機能部を操作することができる。
すなわち、２７０°の相対回転では信号導通接点１４３が図９の右方のスルー接点バネ１４２に接続し、９０°の相対回転では信号導通接点１４３が図９の左方のスルー接点バネ１４２に接続することとなる。
【００４４】
また、本実施形態の各接点と各接点バネの配置では、機能部が本体筐体１１０に隠蔽されるオプション筐体（例えば図１のフルキーボード用オプション筐体１２１、スピーカ用オプション筐体１２２）も本体筐体１１０あるいは隣接するオプション筐体に対して相対角度が１８０°の位置に回動した場合にも同様の電気的接続を実現できる。
【００４５】
なお、複数の信号導通接点バネ１４０、複数のスルー接点１４１、複数のスルー接点バネ１４２、複数の信号導通接点１４３の位置や形状や数量は本体筐体１１０やオプション筐体１２０を構成するすべての筐体（例えばフルキーボード用オプション筐体１２１、スピーカ用オプション筐体１２２、ゲーム用オプション筐体１２３）において統一されており、異なる複数種類のオプション筐体１２０の中から、必要なもののみが、必要な数だけ本体筐体１１０の背面に積層可能になるように構成されている。
【００４６】
また、複数の信号導通接点バネ１４０、複数のスルー接点１４１、複数のスルー接点バネ１４２、複数の信号導通接点１４３、回動支点軸１３０、回動支点穴１３１の高さ関係は、本体筐体１１０とオプション筐体１２０、あるいは隣接するオプション筐体１２０同士の相対角度が例えば０°、９０°、１８０°、２７０°の状態で各接点と各接点バネが接触するとともに、所定角度への回動時には各接点バネと回動支点軸１３０の上面１３０ａ、および各接点と回動支点穴１３１の底面１３１ｂが接触しないように構成されている。これにより、回動動作による各接点および各接点バネの摩耗を低減できるようになっている。
【００４７】
オプション筐体１２０を構成するすべての筐体（例えばフルキーボード用オプション筐体１２１、スピーカ用オプション筐体１２２、ゲーム用オプション筐体１２３）に設けた回動支点軸１３０の円周面１３０ｂには回動支点軸１３０の円周面１３０ｂに対して突出および侵入可能なロック部材１３４が設けられている。ロック部材１３４は図示していない弾性部品で回動支点軸１３０の円周面１３０ｂに対して突出する方向に付勢されている。
【００４８】
また、本体筐体１１０およびオプション筐体１２０を構成するすべての筐体（例えばフルキーボード用オプション筐体１２１、スピーカ用オプション筐体１２２、ゲーム用オプション筐体１２３）に設けた回動支点穴１３１の円周面１３１ｂには複数のロック溝１３５が設けられている。
【００４９】
ロック部材１３４と複数のロック溝１３５は、本体筐体１１０とオプション筐体１２０、あるいは隣接するオプション筐体１２０同士の相対角度が例えば０°、９０°、１８０°、２７０°の状態でロック部材１３４がロック溝１３５に係合することで筐体間の相対回転を解除可能にロックするように配置されている。
これにより、本体筐体１１０とオプション筐体１２０、あるいは隣接するオプション筐体１２０同士が所定の相対角度分回動した際に、使用者に所定の位置であることを伝えるためのクリック感を提供できるとともに、各接点と各接点バネの接触を確実にすることができる。
【００５０】
また、所定の相対角度へ到達するまでの回動途中では、ロック部材１３４が回動支点穴１３１の円周面１３１ｂに接触することで、弾性部品の付勢力に抗して回動支点軸１３０の円周面内に後退し、回動動作の負荷が低減されるようになっている。
【００５１】
なお、ロック部材１３４、複数のロック溝１３５の位置や形状や数量は本体筐体１１０やオプション筐体１２０を構成するすべての筐体（例えばフルキーボード用オプション筐体１２１、スピーカ用オプション筐体１２２、ゲーム用オプション筐体１２３）において統一されており、異なる複数種類のオプション筐体１２０の中から、必要なもののみが、必要な数だけ本体筐体１１０の背面に積層可能になるように構成されている。
【００５２】
オプション筐体１２０の最下段に配置された筐体（例えばゲーム用オプション筐体１２３）に設けた回動支点穴１３１は蓋部材１８０で塞がれており、回動支点穴部分へのほこりや液体の進入を防止するように構成されている。
同様に本体筐体１１０のみで使用する場合は、本体筐体１１０に設けた回動支点穴１３１を蓋部材１８０で塞ぐように構成されている。また同様に、使用していないオプション筐体１２０に設けた回動支点穴１３１を蓋部材１８０で塞ぐことも可能なように構成されており、保管時に回動支点穴１３１へのほこりや液体の進入を防止することが可能となっている。
【００５３】
この積層型携帯端末１００によれば、異なる複数種類のオプション筐体１２０の中から、必要なもののみが、必要な数だけ本体筐体１１０の背面に積層可能となり、使用者のニーズに合わせて所望のオプション筐体１２０が選択可能、および増設可能となる。
また、オプション筐体１２０を増設する際に使用者は筐体間の電気的な接続を行う必要がなく、オプション筐体１２０の増設が容易になる。
さらに、本体筐体１１０とオプション筐体１２０、またはオプション筐体１２０同士を回動させる際に、電気的に導通させる接点部を必要最低限の接点同士間だけ接触させることで、接点の摩耗を低減できる。
【００５４】
なお、本実施形態においては、本体筐体１１０とオプション筐体１２０、あるいは隣接するオプション筐体１２０同士の相対角度が０°、９０°、１８０°、２７０°の状態で筐体間のロックや接点と接点バネの接触を行う構成としていたが、本発明に係る積層型携帯端末は、この他、相対角度を任意に設定し、それを実現する他のロックや接点構成を採用するものであってもよい。
【００５５】
また、本実施形態においては、本体筐体１１０とオプション筐体１２０、あるいは隣接するオプション筐体１２０同士の相対角度が０°、９０°、１８０°、２７０°の状態で筐体間のロックや接点と接点バネの接触を行う構成としていたが、本発明に係る積層型携帯端末は、相対角度を任意に設定するとともに、所定の相対角度で複数のオプション筐体１２０の同時使用を可能にするようなロックや接点構成であってもよい。
このような構成とすれば、例えば上層のスピーカ用オプション筐体１２２と下層のゲーム用オプション筐体１２３とを上下逆に積層し、両筺体１２３，１２２を共に本体筐体１１０に対して相対回転させることで、ゲーム用オプション筐体１２３の操作によって発生する音を、スピーカ用オプション筐体１２２から出力させることができるようになる。
【００５６】
また、本実施形態においては、回動支点軸１３０に各接点を、回動支点穴１３１に各接点バネを設ける構成としていたが、本発明に係る積層型携帯端末は、回動支点軸１３０に各接点バネを、回動支点穴１３１に各接点を設ける構成であってもよい。
【００５７】
また、本実施形態においては、回動支点軸１３０に複数の爪部材１３２を、回動支点穴１３１に爪部材係合溝１３３を設ける構成としていたが、本発明に係る積層型携帯端末は、回動支点軸１３０に爪部材係合溝１３３を、回動支点穴１３１に複数の爪部材１３２を設ける構成であってもよい。
【００５８】
また、本実施形態においては、回動支点軸１３０にロック部材１３４を、回動支点穴１３１に複数のロック溝１３５を設ける構成としていたが、本発明に係る積層型携帯端末は、回動支点軸１３０に複数のロック溝１３５を、回動支点穴１３１にロック部材１３４を設ける構成であってもよい。
【００５９】
また、本実施形態においては、複数の接点と接点と対をなす接点バネで電気的な導通をとる構成としていたが、本発明に係る積層型携帯端末は、複数の発光素子と発光素子と対をなす受光素子で電気的な導通をとる構成であってもよい。
これにより、本体筐体とオプション筐体との間の信号の送受、およびオプション筐体同士間の信号の送受が、発光素子と受光素子との非接触の光の送受によって可能となり、スルー接点、信号導通接点およびオプション検出接点の摩耗を防止できるようになる。
【００６０】
次に、本発明に係る積層型携帯端末の第２実施形態を図１０〜図１６に示す。
図１０は本発明の第２実施形態における積層型携帯端末の本体筐体上面を示す斜視図、図１１は本発明の第２実施形態における積層型携帯端末の本体筐体下面を示す斜視図、図１２は本発明の第２実施形態における積層型携帯端末の本体筐体に設けた回動支点穴を示す下面図、図１３は本発明の第２実施形態における積層型携帯端末のオプション筐体上面を示す斜視図、図１４は本発明の第２実施形態における積層型携帯端末のオプション筐体下面を示す斜視図、図１５は本発明の第２実施形態における積層型携帯端末のオプション筐体に設けた回動支点軸を示す上面図、図１６は本発明の第２実施形態における積層型携帯端末のオプション筐体に設けた回動支点穴を示す下面図である。
なお、図１〜図９に示した部材と同一の部材には同一の符号を付し、重複する説明は省略するものとする。
【００６１】
本実施形態における積層型携帯端末２００では、オプション筐体１２０を構成するすべての筐体（例えばフルキーボード用オプション筐体１２１、スピーカ用オプション筐体１２２、ゲーム用オプション筐体１２３）の回動支点軸１３０の上面１３０ａには図１５に示す複数のオプション筐体検出接点１６３が設けられている。
この複数のオプション筐体検出接点１６３は配置された筐体の回路部と接続されるとともに、オプション筐体１２０を構成するすべての筐体（例えばフルキーボード用オプション筐体１２１、スピーカ用オプション筐体１２２、ゲーム用オプション筐体１２３）について特定の極性（例えば、フルキーボード用オプション筐体１２１のオプション筐体検出接点１６３は極性１：Ｈｉ、極性２：Ｌｏ、極性３：Ｌｏ、スピーカ用オプション筐体１２２のオプション筐体検出接点１６３は極性１：Ｌｏ、極性２：Ｈｉ、極性３：Ｌｏ、ゲーム用オプション筐体１２３のオプション筐体検出接点１６３は極性１：Ｌｏ、極性２：Ｌｏ、極性３：Ｈｉ等）を有している。
【００６２】
また、図１２に示すように、本体筐体１１０の回動支点穴１３１の底面１３１ｂにはオプション筐体１２０を構成するすべての筐体（例えばフルキーボード用オプション筐体１２１、スピーカ用オプション筐体１２２、ゲーム用オプション筐体１２３）の極性信号を伝達するための複数のオプション筐体検出接点バネ１６０が設けられている。
【００６３】
また、図１６に示すように、オプション筐体１２０を構成するすべての筐体（例えばフルキーボード用オプション筐体１２１、スピーカ用オプション筐体１２２、ゲーム用オプション筐体１２３）に設けた回動支点穴１３０の底面１３１ａには、隣接するオプション筐体１２０に設けたオプション筐体検出スルー接点１６１やオプション筐体検出接点１６３に接触し、オプション筐体１２０を構成するすべての筐体（例えばフルキーボード用オプション筐体１２１、スピーカ用オプション筐体１２２、ゲーム用オプション筐体１２３）の極性信号を本体筐体１１０に伝達するために、オプション筐体１２０と電気的な導通をとる複数のオプション筐体検出スルー接点バネ１６２が設けられている。
【００６４】
また、図１５に示すように、オプション筐体１２０を構成するすべての筐体（例えばフルキーボード用オプション筐体１２１、スピーカ用オプション筐体１２２、ゲーム用オプション筐体１２３）に設けた回動支点軸１３０の上面１３０ａには、オプション筐体１２０を構成するすべての筐体の極性信号を本体筐体１１０に伝達するために、隣接するオプション筐体１２０と電気的な導通をとる複数のオプション筐体検出スルー接点１６１が設けられている。
さらに、オプション筐体検出スルー接点１６１とオプション筐体検出接点１６３周辺には接点カバー１５０が設けられており、オプション筐体検出スルー接点１６１とオプション筐体検出接点１６３がオプション筐体１２０の表面に突出しないように構成されている。
【００６５】
なお、オプション筐体１２０を構成するすべての筐体（例えばフルキーボード用オプション筐体１２１、スピーカ用オプション筐体１２２、ゲーム用オプション筐体１２３）に設けた複数のオプション筐体検出スルー接点１６１と複数のオプション筐体検出スルー接点バネ１６２は表裏対をなすオプション筐体検出スルー接点１６１とオプション筐体検出スルー接点バネ１６２同士が電気的に直結されるように構成されている。
【００６６】
次に、複数のオプション筐体検出接点バネ１６０、複数のオプション筐体検出スルー接点１６１、複数のオプション筐体検出スルー接点バネ１６２、複数のオプション筐体検出接点１６３の位置について図１、図１０、図１１、図１２、図１３、図１４、図１５、図１６を用いて説明する。
本体筐体１１０の背面にはフルキーボード用オプション筐体１２１、スピーカ用オプション筐体１２２、ゲーム用オプション筐体１２３の順で積層されており、最下段に積層されたゲーム用オプション筐体１２３の機能部（入力キー１２３ａや十字キー１２３ｂ）が本体筐体１１０から露呈した状態（本体筐体１１０に対して相対角度が２７０°）に保持されている（図１の状態参照）。
【００６７】
使用者がゲーム用オプション筐体１２３を選択し、操作可能な状態（本体筐体１１０に対して相対角度が２７０°）に回動すると、ゲーム用オプション筐体１２３の複数のオプション筐体検出接点１６３と隣接するスピーカ用オプション筐体１２２の複数のオプション筐体検出スルー接点バネ１６２が接触しており、ゲーム用オプション筐体１２３特有の極性を示す電気信号はスピーカ用オプション筐体１２２の複数のオプション筐体検出スルー接点バネ１６２に伝達される。
【００６８】
さらに、スピーカ用オプション筐体１２２に設けた複数のオプション筐体検出スルー接点１６１とスピーカ用オプション筐体１２２に設けた複数のオプション筐体検出スルー接点バネ１６２は表裏対をなすオプション筐体検出スルー接点１６１とオプション筐体検出スルー接点バネ１６２同士が電気的に直結されるため、ゲーム用オプション筐体１２３特有の極性を示す電気信号はスピーカ用オプション筐体１２２に設けた複数のオプション筐体検出スルー接点１６１に伝達される。
【００６９】
同様の電気的な接続により、ゲーム用オプション筐体１２３特有の極性を示す電気信号はフルキーボード用オプション筐体１２１に設けた複数のオプション筐体検出スルー接点１６１に伝達される。
【００７０】
さらに、この状態では、フルキーボード用オプション筐体１２１に設けた複数のオプション筐体検出スルー接点１６１と本体筐体１１０に設けた複数のオプション筐体検出接点バネ１６０は接触しており、これにより、ゲーム用オプション筐体１２３特有の極性を示す電気信号は本体筐体１１０に伝達され、使用者がゲーム用オプション筐体１２３を選択したことを電気的に自動認識できる。
なお、本体筐体１１０からゲーム用オプション筐体１２３への電力供給は本発明の第１実施形態と同様であるため説明を省略する。
【００７１】
この積層型携帯端末２００によれば、任意のオプション筐体１２０を増設したときに、選択したオプション筐体１２０の種類が自動的に検出可能になり、使用者によるオプション筐体１２０の種類の設定が不要となって、使用者によるオプション筐体１２０の選択および増設を容易にすることができる。
【００７２】
なお、本実施形態の各接点と各接点バネの配置では、使用者がオプション筐体１２０を本体筐体１１０あるいは隣接するオプション筐体に対して相対角度が９０°の位置に回動した場合にも同様に選択したオプション筐体１２０を自動認識できる。
【００７３】
また、本実施形態の各接点と各接点バネの配置では、機能部が本体筐体１１０に隠蔽されるオプション筐体（例えば図１のフルキーボード用オプション筐体１２１、スピーカ用オプション筐体１２２）も本体筐体１１０あるいは隣接するオプション筐体に対して相対角度が１８０°の位置に回動した場合にも同様の電気的接続を実現できる。
【００７４】
なお、複数のオプション筐体検出接点バネ１６０、複数のオプション筐体検出スルー接点１６１、複数のオプション筐体検出スルー接点バネ１６２、複数のオプション筐体検出接点１６３の位置や形状や数量は本体筐体１１０やオプション筐体１２０を構成するすべての筐体（例えばフルキーボード用オプション筐体１２１、スピーカ用オプション筐体１２２、ゲーム用オプション筐体１２３）において統一されており、異なる複数種類のオプション筐体１２０の中から、必要なもののみが、必要な数だけ本体筐体１１０の背面に積層可能になるように構成されている。
【００７５】
また、複数のオプション筐体検出接点バネ１６０、複数のオプション筐体検出スルー接点１６１、複数のオプション筐体検出スルー接点バネ１６２、複数のオプション筐体検出接点１６３、回動支点軸１３０、回動支点穴１３１の高さ関係は、本体筐体１１０とオプション筐体１２０、あるいは隣接するオプション筐体１２０同士の相対角度が例えば０°、９０°、１８０°、２７０°の状態で各接点と各接点バネが接触するとともに、所定角度への回動時には各接点バネと回動支点軸１３０の上面１３０ａ、および各接点と回動支点穴１３１の底面１３１ｂが接触しないように構成されている。
これにより、回動動作による各接点および各接点バネの摩耗を低減できる。
【００７６】
なお、その他の端末および筐体の構成は本発明の第１実施形態と同様であるため説明を省略する。
【００７７】
また、本実施形態においては、本体筐体１１０とオプション筐体１２０、あるいは隣接するオプション筐体１２０同士の相対角度が０°、９０°、１８０°、２７０°の状態で筐体間のロックや接点と接点バネの接触を行う構成としていたが、本発明に係る積層型携帯端末は、この他、相対角度を任意に設定し、それを実現する他のロックや接点構成を採用するものであってもよい。
【００７８】
また、本実施形態においては、本体筐体１１０とオプション筐体１２０、あるいは隣接するオプション筐体１２０同士の相対角度が０°、９０°、１８０°、２７０°の状態で筐体間のロックや接点と接点バネの接触を行う構成としていたが、本発明に係る積層型携帯端末は、相対角度を任意に設定するとともに、所定の相対角度で複数のオプション筐体１２０の同時使用を可能にするようなロックや接点構成であってもよい。
【００７９】
また、本実施形態においては、回動支点軸１３０に各接点を、回動支点穴１３１に各接点バネを設ける構成としていたが、本発明に係る積層型携帯端末は、回動支点軸１３０に各接点バネを、回動支点穴１３１に各接点を設ける構成であってもよい。
【００８０】
また、本実施形態においては、複数の接点と接点と対をなす接点バネで電気的な導通をとる構成としていたが、本発明に係る積層型携帯端末は、複数の発光素子と発光素子と対をなす受光素子で電気的な導通をとる構成であってもよい。
【００８１】
次に、本発明に係る積層型携帯端末の第３実施形態を図１７〜図２７に示す。
図１７は本発明の第３実施形態における積層型携帯端末の本体筐体上面を示す斜視図、図１８は本発明の第３実施形態における積層型携帯端末の本体筐体下面を示す斜視図、図１９は本発明の第３実施形態における積層型携帯端末の本体筐体に設けた回動支点穴を示す下面図、図２０は本発明の第３実施形態における積層型携帯端末のオプション筐体上面を示す斜視図、図２１は本発明の第３実施形態における積層型携帯端末のオプション筐体下面を示す斜視図、図２２は本発明の第３実施形態における積層型携帯端末のオプション筐体に設けた回動支点軸を示す上面図、図２３は本発明の第３実施形態における積層型携帯端末のオプション筐体に設けた回動支点穴を示す下面図、図２４は本発明の第３実施形態における積層型携帯端末の斜視図、図２５は本発明の第３実施形態における積層型携帯端末の斜視図、図２６は本発明の第３実施形態における積層型携帯端末の斜視図、図２７は本発明の第３実施形態における積層型携帯端末の斜視図である。
なお、図１〜図１６に示した部材と同一の部材には同一の符号を付し、重複する説明は省略するものとする。
【００８２】
本実施形態における積層型携帯端末３００では、本体筐体１１０およびオプション筐体１２０を構成するすべての筐体（例えば、カメラ用オプション筐体１２４、テレビ用オプション筐体１２５）に設けた回動支点穴１３１の底面１３１ａには図１９に示す角度検出部材である複数のホール素子１７１が設けられている。
また、オプション筐体１２０を構成するすべての筐体（例えば、カメラ用オプション筐体１２４、テレビ用オプション筐体１２５）に設けた回動支点軸１３０の上面１３０ａには図２２に示す角度検出部材である磁石１７２が設けられている。
【００８３】
なお、複数のホール素子１７１、磁石１７２の位置や数量は本体筐体１１０やオプション筐体１２０を構成するすべての筐体（例えば、カメラ用オプション筐体１２４、テレビ用オプション筐体１２５）において統一されており、異なる複数種類のオプション筐体１２０の中から、必要なもののみが、必要な数だけ本体筐体１１０の背面に積層可能になるように構成されている。
【００８４】
これらの複数のホール素子１７１と磁石１７２とにより、本体筐体１１０あるいは隣接するオプション筐体１２０を構成する筐体（例えば、カメラ用オプション筐体１２４、テレビ用オプション筐体１２５）と選択したオプション筐体１２０（例えば、カメラ用オプション筐体１２４）の相対角度を検出し、例えば図２４と図２５に示す２つの状態を認識することができる。
【００８５】
これにより、図２４、図２５に示す２つの状態でも常にカメラ用オプション筐体１２４に設けたカメラ１２４ａで撮像した画像を図２４、図２５の０°方向を上にして処理するとともに、カメラ用オプション筐体１２４に設けた液晶画面１２４ｂにも図２４、図２５の０°方向を上にした画像を表示することができる。
【００８６】
また同様に、図２６、図２７に示す２つの状態でも常にテレビ用オプション筐体１２５に設けた液晶画面１２５ａに図２６、図２７の０°方向を上にした画像を表示することができる。
【００８７】
さらに、筐体間の相対角度を検出することにより、装着したオプション筐体１２０（例えば、フルキーボード用オプション筐体１２１、ゲーム用オプション筐体１２３、スライドパッド１２６）の機能（例えば、右利き用、左利き用）を本体筐体１１０や隣接するオプション筐体１２０との相対角度により選択して自動設定することもできる。
【００８８】
この積層型携帯端末３００によれば、使用者が選択したオプション筐体１２０の相対角度により、そのオプション筐体１２０の機能を切り換えるので、使用者によるオプション筐体１２０の選択を不要にして操作性を高め、多機能な積層型携帯端末を実現することができる。
【００８９】
なお、その他の端末および筐体の構成は本発明の第１実施形態および第２実施形態と同様であるため説明を省略する。
【００９０】
また、本実施形態においては、本体筐体１１０とオプション筐体１２０、あるいは隣接するオプション筐体１２０同士の相対角度が０°、９０°、１８０°、２７０°の状態で筐体間の相対角度を検出するように複数のホール素子１７１と磁石１７２を配置する構成としていたが、本発明に係る積層型携帯端末は、相対角度を任意に設定し、それを実現することができる複数のホール素子１７１と磁石１７２の配置であってもよい。
【００９１】
また、本実施形態においては、回動支点軸１３０に磁石１７２を、回動支点穴１３１に複数のホール素子１７１を設ける構成としていたが、本発明に係る積層型携帯端末は、回動支点軸１３０に複数のホール素子１７１を、回動支点穴１３１に磁石１７２を設ける構成であってもよい。
【００９２】
また、本実施形態においては、筐体間の相対角度を複数のホール素子１７１と磁石１７２の組合せで検出する構成としていたが、本発明に係る積層型携帯端末は、相対角度を検出できる他の角度検出部材（例えば、ロータリーポジションセンサーやエンコーダ等）で構成してもよい。
【００９３】
次に、本発明に係る積層型携帯端末の第４実施形態を図２８〜図３０に示す。
図２８は本発明の第４実施形態における積層型携帯端末の分解断面図、図２９は本発明の第４実施形態における積層型携帯端末の断面図、図３０は本発明の第４実施形態における積層型携帯端末の本体筐体を示す断面図である。
なお、図１〜図２７に示した部材と同一の部材には同一の符号を付し、重複する説明は省略するものとする。
【００９４】
本実施形態における積層型携帯端末４００では、本体筐体１１０の回動支点穴１３１中心部にタップ１９０が設けられている。また、オプション筐体１２０を構成する筐体（例えばフルキーボード用オプション筐体１２１やスピーカ用オプション筐体１２２）の回動支点穴１３１中心部にはオプション筐体固定ネジ挿入穴１９５が設けられている。
このオプション筐体固定ネジ挿入穴１９５には、オプション筐体固定ネジ２０１が螺合可能となっている。オプション筐体固定ネジ２０１にはネジ２０１ａとタップ２０１ｂが設けられている。
【００９５】
これにより、本体筐体１１０に対するオプション筐体１２０を構成する筐体（例えばフルキーボード用オプション筐体１２１）の固定は、本体筐体１１０に設けたタップ１９０と、オプション筐体１２０を構成する筐体（例えばフルキーボード用オプション筐体１２１）に設けたオプション筐体固定ネジ挿入穴１９５と、オプション筐体固定ネジ２０１で行い、オプション筐体１２０を構成する筐体（例えばフルキーボード用オプション筐体１２１）は本体筐体１１０に対して回動可能に固定される。
【００９６】
また、オプション筐体１２０を構成する筐体（例えばフルキーボード用オプション筐体１２１やスピーカ用オプション筐体１２２）同士の固定は、本体筐体１１０側のオプション筐体１２０を構成する筐体（例えばフルキーボード用オプション筐体１２１）を固定したオプション筐体固定ネジ２０１に設けたタップ２０１ｂと、オプション筐体１２０を構成する筐体（スピーカ用オプション筐体１２２）に設けたオプション筐体固定ネジ挿入穴１９５と、オプション筐体固定ネジ２０１で行い、オプション筐体１２０を構成する筐体（スピーカ用オプション筐体１２２）は本体筐体１１０および本体筐体１１０側のオプション筐体１２０を構成する筐体（例えばフルキーボード用オプション筐体１２１）に対して回動可能に固定される。
【００９７】
また、オプション筐体１２０を構成する筐体に設けた回動支点軸１３０と回動支点穴１３１とオプション筐体固定ネジ挿入穴１９５の位置と形状はすべてのオプション筐体１２０で統一されており、異なる複数種類のオプション筐体１２０の中から、必要なもののみが、必要な数だけ本体筐体１１０の背面に積層可能になるように構成されている。
【００９８】
また、オプション筐体１２０の最下段に配置された筐体（例えばスピーカ用オプション筐体１２２）に設けた回動支点穴１３１は蓋部材１８０で塞がれており、回動支点穴部分へのほこりや液体の進入を防止するように構成されている。
同様に本体筐体１１０のみで使用する場合は、本体筐体１１０に設けた回動支点穴１３１を蓋部材１８０で塞ぐように構成されている。また同様に、使用していないオプション筐体に設けた回動支点穴１３１を蓋部材１８０で塞ぐことも可能なように構成されており、保管時に回動支点穴１３１へのほこりや液体の進入を防止することが可能である。
【００９９】
この積層型携帯端末４００によれば、本体筐体１１０に、オプション筐体１２０を固定したオプション筐体固定ネジ２０１に対して、さらに任意の数のオプション筐体固定ネジ２０１を螺合して行くことで、複数のオプション筐体１２０が回動可能に積層され、使用者によるオプション筐体１２０の増設を容易にすることができる。
【０１００】
なお、本発明の第４実施形態で説明した本体筐体１１０とオプション筐体１２０の固定方法を実現することで、本発明の第１実施形態および第２実施形態および第３実施形態で説明した爪部材１３２と爪部材係合溝１３３は不要になるため、本実施形態の積層型携帯端末４００では爪部材１３２と爪部材係合溝１３３を設けていない。
【０１０１】
なお、その他の端末および筐体の構成は本発明の第１実施形態および第２実施形態および第３実施形態と同様であるため説明を省略する。
【０１０２】
次に、本発明に係る積層型携帯端末の第５実施形態を図３１に示す。
図３１は本発明の第５実施形態における積層型携帯端末を示す斜視図である。なお、図１〜図３０に示した部材と同一の部材には同一の符号を付し、重複する説明は省略するものとする。
本実施形態における積層型携帯端末５００では、オプション筐体１２０を構成する筐体（例えばフルキーボード用オプション筐体１２１やカメラ用オプション筐体１２４）に設けた回動支点軸１３０と回動支点穴１３１の位置を同心ではない位置（例えば筐体の両端部）に配置することで、本体筐体１１０とオプション筐体１２０を構成する筐体（例えばフルキーボード用オプション筐体１２１やカメラ用オプション筐体１２４）に設けた機能部（例えばフルキーボード用オプション筐体１２１に設けたフルキーボード１２１ａ、カメラ用オプション筐体１２４に設けたカメラ１２４ａや液晶画面１２４ｂ）を同時に使用することができるように構成されている。
【０１０３】
また、オプション筐体１２０を構成する筐体に設けた回動支点軸１３０と回動支点穴１３１の位置と形状はすべてのオプション筐体で統一されており、異なる複数種類のオプション筐体の中から、必要なもののみが、必要な数だけ本体筐体の背面に積層可能になるように構成されている。
【０１０４】
この積層型携帯端末５００によれば、複数のオプション筐体１２０を本体筐体１１０に対し、連続的に露呈させたり、大きな一つの機能部面積を本体筐体１１０の側部に一体配置させることができる。
【０１０５】
なお、オプション筐体１２０の最下段に配置された筐体（例えばカメラ用オプション筐体１２４）に設けた回動支点穴１３１は図示していない蓋部材１８０で塞がれており、回動支点穴部分へのほこりや液体の進入を防止するように構成されている。
同様に本体筐体１１０のみで使用する場合は、本体筐体１１０に設けた回動支点穴１３１を蓋部材１８０で塞ぐように構成されている。
【０１０６】
また同様に、使用していないオプション筐体に設けた回動支点穴１３１を蓋部材１８０で塞ぐことも可能なように構成されており、保管時に回動支点穴１３１へのほこりや液体の進入を防止することが可能である。
【０１０７】
なお、その他の端末および筐体の構成は本発明の第１実施形態および第２実施形態および第３実施形態と同様であるため説明を省略する。
【０１０８】
また、本体筐体１１０とオプション筐体１２０の間を回動可能に固定する方法は、本発明の第１実施形態あるいは第４実施形態のいずれの構成でもよいため説明を省略する。
【０１０９】
なお、本実施形態においては、本体筐体１１０とオプション筐体１２０を構成する筐体（例えばフルキーボード用オプション筐体１２１やカメラ用オプション筐体１２４）に回動支点軸１３０と回動支点穴１３１をそれずれ１箇所設ける構成としていたが、本発明に係る積層型携帯端末は、回動支点軸１３０と回動支点穴１３１を複数個設けるとともに、オプション筐体１２０を構成する筐体を本体筐体１１０の面積を複数に分割した面積を有するものとして、複数個の筐体を同時に使用することができる構成であってもよい。
【０１１０】
次に、本発明に係る積層型携帯端末の第６実施形態を図３２、図３３に示す。
図３２は本発明の第６実施形態における積層型携帯端末の斜視図、図３３は本発明の第６実施形態における積層型携帯端末の斜視図である。なお、図１〜図３１に示した部材と同一の部材には同一の符号を付し、重複する説明は省略するものとする。
本実施形態における積層型携帯端末６００では、本体筐体１１０およびオプション筐体１２０は略正方形で形成されている。そして、本体筐体１１０とオプション筐体１２０の中央部には図示していない回動支点軸１３０と回動支点穴１３１が設けられており、それによりオプション筐体１２０は本体筐体１１０に対して回動可能に構成されている。
【０１１１】
したがって、本実施形態における積層型携帯端末６００によれば、図３３に示すように、本体筐体１１０に対してオプション筐体１２０を略４５°回動させると、本体筐体１１０の各四辺にオプション筐体１２０の４箇所の隅部が露呈する。その隅部に複数の操作部（例えば、スピーカ１２２ａやカメラ１２４ａやスライドパッド１２６）を設けることで複数の操作部を同時に使用することができる。
【０１１２】
なお、その他の端末および筐体の構成は本発明の第１実施形態および第２実施形態および第３実施形態と同様であるため説明を省略する。
【０１１３】
また、本体筐体１１０とオプション筐体１２０の間を回動可能に固定する方法は、本発明の第１実施形態あるいは第４実施形態のいずれの構成でもよいため説明を省略する。
【０１１４】
そして、本実施形態においては、オプション筐体１２０を１段のみ積層する構成としていたが、異なる複数種類のオプション筐体の中から、必要なもののみが、必要な数だけ本体筐体の背面に積層可能にできる構成であってもよい。
【０１１５】
また、オプション筐体１２０の最下段に配置された筐体に設けた回動支点穴１３１は図示していない蓋部材１８０で塞がれており、回動支点穴部分へのほこりや液体の進入を防止するように構成されている。同様に積層型携帯端末６００を、本体筐体１１０のみで使用する場合は、本体筐体１１０に設けた回動支点穴１３１を蓋部材１８０で塞ぐように構成されている。
また同様に、使用していないオプション筐体に設けた回動支点穴１３１を蓋部材１８０で塞ぐことも可能なように構成されており、これにより保管時に回動支点穴部分へのほこりや液体の進入を防止することが可能となっている。
【０１１６】
（第７実施形態）
図３４〜４０において、積層型携帯端末は、相互に回動自在で、しかも着脱自在に連結された１個の本体ユニット１と３個のオプションユニット２，３，４とから構成されている。
最上位（本体ユニットに隣接するもの）のオプションユニット２はフルキーボード用として、その一段下位のオプションユニット３はスピーカ用として、最下位のオプションユニット４はゲーム用としてそれぞれ設定されている。以下の説明ではフルキーボード用オプションユニット、スピーカ用オプションユニットおよびゲーム用オプションユニットと云う。
【０１１７】
回動自在で、しかも着脱自在な構成の具体的なものとして、本体ユニット１、フルキーボード用オプションユニット２、スピーカ用オプションユニット３およびゲーム用オプションユニット４のそれぞれの下面に軸支持用凹部５を、各オプションユニット２，３，４のそれぞれの上面に回動軸６を形成して、それら軸支持用凹部５に回動軸６を嵌めることで、本体ユニット１に対してフルキーボード用オプションユニット２が、このフルキーボード用オプションユニット２に対してスピーカ用オプションユニット３が、スピーカ用オプションユニット３に対してゲーム用オプションユニット４が回動自在に連結されるようにしてある。
【０１１８】
さらに、各軸支持用凹部5の内周面周方向に溝7を、各回動軸6の外周面より爪８をそれぞれ設け、これら溝７に爪８を係合させることで、本体ユニット１とフルキーボード用オプションユニット２、および各オプションユニット２，３，４が回動自在で、しかも任意に着脱自在に連結できるようにしてある。
さらに述べると、前記回動軸６は中空状であって、その外周壁に爪８が切欠により形成されており、したがって、前記爪８は所定量の弾性変形が可能となっている。また各爪８の上部には、溝７への係合を円滑とするための傾斜が形成されている。
【０１１９】
本実施形態の場合、最下位のゲーム用オプションユニット４の軸支持用凹部５は開放されたままであるが、必要な場合は、軸支持用凹部５と回動軸６等を同一構成とした、別の追加機能を有するオプションユニットを連結することができるようになっている。
つまり、本体ユニット１には３個のオプションユニット２，３，４のいずれでも選択して連結することが可能で、さらに３個のオプションユニット２，３，４の積層順位も任意に設定できるように構成してあり、しかも積層するオプションユニットの数も自由に変更できるようにしてある。
【０１２０】
通常、本体ユニット１と３個のオプションユニット２，３，４は積層状態の収納形態を呈し、使用を希望するオプションユニットがある場合は、該当するオプションユニットを右回りに９０°あるいは左回りに９０°回動させて使用状態とする。
前記本体ユニット１は電話としての機能を有し、通話操作に使用される表示部と操作部とを備え、また、受話部、送話部、着信スピーカ部、送受信部、データ変換部、音声処理部、画像処理部、情報記録部等を備える。加えて、本体ユニット１は電源を有し、この電源は本体ユニット１の機能を動かすための電力供給源であり、また、使用状態のオプションユニットへの電力供給源にもなる。
【０１２１】
この本体ユニット１から使用状態にしたオプションユニット２，３，４への電力供給経路は、情報伝達経路と同じ経路で逆方向に行われ、前記情報伝達経路は、どのオプションユニットを使用状態にするかによって、異なる経路を形成する。
具体的な情報伝達経路構成としては、オプションユニット２，３，４は、回動軸６の外周面に１８０°の間隔で２組の中継用接点９それぞれ具備し、これらの中継用接点から９０°離れた位置に１組の情報伝達用接点１０をそれぞれ有する。一方、軸支持用凹部５の内周面には１８０°の間隔で２組の中継用接点１１をそれぞれ具備する。
【０１２２】
これら回動軸６の外周面に形成された中継用接点９と軸支持用凹部５の内周面に形成された中継用接点１１は、電気的に直結されて構成されている。
さらに、本体ユニット１は、軸支持用凹部５の内周面に１８０°の間隔で２組の情報伝達用接点１２を具備する。
【０１２３】
本実施形態では、フルキーボード用オプションユニット２を使用状態とした時は、フルキーボード用オプションユニット２の情報伝達用接点１０を本体ユニット１の情報伝達用接点１２に接続させて、情報伝達経路を形成する。
また、スピーカ用オプションユニット３を使用状態とした時には、スピーカ用オプションユニット３の情報伝達用接点１０を、フルキーボード用オプションユニット２の中継用接点１１と中継用接点９を順に介して、本体ユニット１の情報伝達用接点１２に接続することで、情報伝達経路を形成する。
【０１２４】
以上のような構成において、使用者が希望する機能を具備したオプションユニットの追加や削除や変更が可能となり、携帯端末の使い勝手が向上するという効果を奏する。
【０１２５】
なお、本体ユニット１とフルキーボード用オプションユニット２の間および隣接するオプションユニットの間の、情報伝達用接点と情報伝達用接点、および情報伝達用接点と中継用接点、および中継用接点と中継用接点の構成としては、光学的な情報伝達方法、例えば、発光素子と受光素子の組み合わせ等であってもよい。
【０１２６】
本実施形態では、各オプションユニット２，３，４を積層状態および使用状態とした時に、クリック感が発生する構成になっている。
クリック感発生の具体的な構成として、オプションユニット２，３，４の回動軸６の先端面からそれぞれ１個の係合部１３を突設し、上記係合部１３の回動軌跡と対峙して本体ユニット１とオプションユニット２，３，４の軸支持用凹部５の底面には、９０°間隔にそれぞれ３個の被係合部１４が形成されている。
【０１２７】
これらの係合部１３が被係合部１４に嵌まることによって、クリック感が発生する。同時に、各オプションユニット２，３，４を積層状態および使用状態とした時に回動を一時固定することが可能になる。
【０１２８】
また、本実施形態では、使用状態のオプションユニット２，３，４の情報伝達用接点１２から本体ユニット１へ伝達される情報には、どのオプションユニットが使用状態になっているかという情報を含んでいる。
すなわち、本体ユニット１には、オプションユニット２，３，４のいずれもが接続される可能性があり、本体ユニット１は、いずれかのオプションユニット２，３，４が使用状態になったときに、それがどのオプションユニットであるのか検知する必要がある。
【０１２９】
ゲーム用オプションユニット４を使用状態にしたときに、オプションユニットの情報伝達用接点は、スピーカ用オプションユニット３とフルキーボード用オプションユニット２の中継用接点を介して、本体ユニット１の情報伝達用接点に接続され、ゲーム用オプションユニット２が使用状態であるという情報も本体ユニット１に伝えられる。
このようにすると、オプションユニット２，３，４を突出させるだけで、どのオプションユニットが使用状態かを本体ユニット１は検知することが可能になり、使用者による設定作業が不要となる。
【０１３０】
さらに、本実施形態では、最下位に位置するゲーム用オプションユニット４の軸支持用凹部５は開放されているが、これをふたで塞ぎ、ほこりや液体の進入を防止してもよい。
【０１３１】
なお、本実施形態では、本体ユニット１とオプションユニット２，３，４の下面に軸支持用凹部５を、オプションユニット２，３，４の上面に回動軸６を形成する構成としたが、他の例として、本体ユニット１とオプションユニット２，３，４の下面に回動軸６を、オプションユニット２，３，４の上面に軸支持用凹部５を形成する構成であっても同様の効果が得られる。
【０１３２】
なお、本実施形態では、軸支持用凹部５の内周面周方向に溝７を、回動軸６の外周面より爪８をそれぞれ設ける構成としたが、他の例として、軸支持用凹部５の内周面周方向に爪８を、回動軸６の外周面に溝７を設ける構成であっても同様の効果が得られる。
【０１３３】
なお、本実施形態では、オプションユニット２，３，４は、回動軸６の外周面に２組の中継用接点９と１組の情報伝達用接点１０を有し、軸支持用凹部５の内周面に２組の中継用接点１１を具備し、本体ユニット１は、軸支持用凹部５の内周面に２組の情報伝達用接点１２を有する構成としていた。
【０１３４】
他の例として、オプションユニットは、回動軸６の先端面に２組の中継用接点９と１組の情報伝達用接点１０を有し、軸支持用凹部５の底面に２組の中継用接点１１を具備し、本体ユニット１は、軸支持用凹部５の底面に２組の情報伝達用接点１２を有する構成であっても、同様の効果を得ることができる。
【０１３５】
なお、本実施形態では、回動軸６の先端面に係合部１３が突設され、軸支持用凹部５の底面に被係合部１４が形成されている構成としていたが、他の例として、回動軸６の先端面に被係合部１４が突設され、軸支持用凹部５の底面に係合部１３が形成されている構成であっても、同様の効果を得ることができる。また、他の例として、回動軸６の外周面に係合部１３を、軸支持用凹部５の内周面に被係合部１４を設ける構成であっても、さらに他の例として、回動軸６の外周面に被係合部１４を、軸支持用凹部５の内周面に係合部１３を設ける構成であっても、同様の効果を得ることができる。
【０１３６】
さらに、本実施形態では、各オプションユニットを右回りに９０°回動させたときも左回りに９０°回動させたときも、使用状態となる構成としていたが、他の例として、右回りあるいは左回りのどちらか一方向に９０°回動させたときのみ使用状態となる構成であってもよい。
具体的には、各オプションユニット２，３，４は、回動軸の外周面に１組の中継用接点９と１組の情報伝達用接点１０をそれぞれ具備し、軸支持用凹部５の内周面に１組の中継用接点を有し、さらに、本体ユニット１は、軸支持用凹部５の内周面に1組の情報伝達用接点１２を具備してもよい。
【０１３７】
（第８実施形態）
以下、本発明の第８実施形態における携帯端末について図４１を参照しながら説明する。
なお、第７実施形態と同様の作用を奏する構成については同一符号を付しその説明は第７実施形態のものを援用する。
【０１３８】
図４１において、第７実施形態と相違する点は、軸支点用凹部と回動軸の中心軸が、本体ユニット１５および各オプションユニット１６，１７，１８の中心から離れた位置に配置された点と、各オプションユニット１６，１７，１８を積層状態から１８０°回動させたときに使用状態となる点である。
具体的な構成としては、本体ユニット１５の軸支持用凹部の内周面には、１組の情報伝達用接点が設けられている。また、各オプションユニット１６，１７，１８の回動軸の外周面には、１８０°の間隔でそれぞれ１組の中継用接点とそれぞれ１組の情報伝達用接点が設けられ、軸支持用凹部の内周面に、それぞれ１組の中継用接点が設けられている。
【０１３９】
さらに、本実施形態では、各オプションユニット１６，１７，１８回動軸の先端面からそれぞれ１個の係合部が突設され、本体ユニット１５と各オプションユニット１６，１７，１８の軸支持用凹部の底面にはそれぞれ２個の被係合部が１８０°の間隔で形成されている。
このような構成にすると、各オプションユニット１６，１７，１８を１８０°回動して使用状態とした時のオプションユニット１６，１７，１８の機能部１個あたりの突出面積を大きくすることが可能になる。
【０１４０】
（第９実施形態）
以下、本発明の第９実施形態における携帯端末について図４２、４３を参照しながら説明する。
なお、第７実施形態と同様の作用を奏する構成については同一符号を付しその説明は第７実施形態のものを援用する。
【０１４１】
図４２において、第７実施形態と相違する点は、本体ユニット１９と使用状態にした各オプションユニット２０，２１，２２との相対的な角度を検出可能である点である。
具体的な角度検知のための構成としては、各オプションユニット２０，２１，２２にの回動軸２３の先端部にそれぞれホール素子２４が設けられ、本体ユニット１９および各オプションユニット２０，２１，２２の軸支持用凹部２５の底部にそれぞれ磁石２６が設けられている。
【０１４２】
これらのホール素子２５と磁石２６により、本体ユニット１９と最上位のオプションユニット２０、あるいは隣接する２つのオプションユニットの角度が何度回動させた状態であるかを検知することができ、その角度に応じた機能の切り替えが可能になる。
例えば、ゲーム用オプションユニットの操作部を、右回りに９０°回動させた時は右利き用、左回りに９０°回動させた時は左利き用、となるように操作機能を設定しておき、本体ユニット１９との相対的な角度に応じて機能をどちらかに切り替えることが可能になる。
【０１４３】
本体ユニット１９と使用状態にしたオプションユニットの相対的な角度に応じて、機能を切り替える他の例として、カメラ撮影画像の表示方向切り替えがある。カメラ用オプションユニットに備えられたカメラで撮影した映像を、本体ユニット１９との相対的な角度が９０°と２７０°の場合では、１８０°回転させて本体ユニット１に備えられた液晶画面に表示させる設定とする。すると、カメラ用オプションユニットを右回りに９０°回転させたときも、左回りに９０°回転させたときも、本体ユニット１９では同じ方向の画像を表示することが可能になる。
【０１４４】
またその他の例として、液晶画面の表示方向切り替えがある。液晶画面を有するテレビ用オプションユニットに表示する画像の方向を、本体ユニット１９との相対的な角度が９０°と２７０°の場合では１８０°回転させて表示する設定とする。すると、テレビ用オプションユニットを右回りに９０°回動させたときも、左回りに９０°回動させたときも、本体ユニット１９では同じ方向の画像を表示することが可能になる。
【０１４５】
（第１０実施形態）
以下、本発明の第１０実施形態における携帯端末について図４４を参照しながら説明する。
なお、第７実施形態と同様の作用を奏する構成については同一符号を付しその説明は第７実施形態のものを援用する。
【０１４６】
図４４において、第７実施形態と相違する点は、本体ユニット２７とオプションユニット２８の外形が略正方形である点と、本体ユニット２７に対してオプションユニット２８を右回りに４５°あるいは左回りに４５°回動させて使用状態とした時に、本体ユニット２７の各４辺にオプションユニット２８の４箇所の機能部が突出する点である。
突出する機能部に設けられる追加機能としては、例えばスピーカやカメラやスライドパッドやキー等がある。
【０１４７】
具体的な構成としては、本体ユニット２７の軸支持用凹部の内周面には、９０°の間隔で２組の情報伝達用接点が設けられている。また、オプションユニット２７の回動軸の外周面には、９０°の間隔で２組の中継用接点とそれらの中間に１組の情報伝達用接点が設けられている。オプションユニットに設けた軸支持用凹部の内周面には、９０°の間隔で２組の中継用接点が設けられている。
【０１４８】
さらに、本実施形態では、オプションユニット２８の回動軸の先端面からそれぞれ１個の係合部が突設され、本体ユニット２７とオプションユニット２８の軸支持用凹部の底面にはそれぞれ３個の被係合部が４５°の間隔で形成されている。これらの構成によって、オプションユニット２８が積層状態のときと、右回りに４５°あるいは左回りに４５°回動させて使用状態にしたとき、係合部と被係合部が係合して、クリック感が発生する。
このようにすると、一度に４箇所の機能部を突出させることができ、同時に使用可能な機能部の数を増やすことが可能になる。
【０１４９】
本出願は、２００５年６月１日出願の日本特許出願（特願2005-161557）に基づくものであり、それらの内容はここに参照として取り込まれる。
【産業上の利用可能性】
【０１５０】
以上のように、本発明に係る積層型携帯端末は、電話としての機能を有する本体筐体と、前記本体筐体の背面に積層されることにより機能部が隠蔽されるオプション筐体と、前記オプション筐体に設けた前記本体筐体および前記オプション筐体の積層方向に沿う回動支点軸と、前記本体筐体と前記オプション筐体に前記回動支点軸が挿入される回動支点穴を備え、前記回動支点軸を中心として前記本体筐体および前記オプション筐体が相対的に回動することにより前記オプション筐体の機能部が露呈可能で、複数種類の前記オプション筐体が前記本体筐体の背面に選択的に任意段数積層可能な携帯端末において、隣接する前記本体筐体および前記オプション筐体の間を電気的に直結するための複数のスルー接点と、回転した前記オプション筐体の信号を隣接した前記本体筐体および前記オプション筐体に導通させるための複数の信号導通接点を前記オプション筐体に設けた回動支点軸の上面と前記本体筐体および前記オプション筐体の回動支点穴底面に設け、隣接する前記本体筐体および前記オプション筐体の相対回転がない際に前記複数のスルー接点同士が接触するとともに、隣接する前記本体筐体および前記オプション筐体が予め設定した所定の角度分相対的に回転した際に前記複数の信号導通接点が前記複数のスルー接点に接触することで、選択した前記オプション筐体の信号のみを本体筐体と電気的に導通させる構成を設けることにより、異なる複数種類のオプション筐体の中から、必要なもののみが、必要な数だけ本体筐体の背面に積層可能となり、使用者のニーズに合わせて所望のオプション筐体が選択可能、および増設可能となる。
また、オプション筐体を増設する際に使用者は筐体間の電気的な接続を行う必要がなく、オプション筐体の増設が容易になる。
さらに、本体筐体とオプション筐体、またはオプション筐体同士を回動させる際に、電気的に導通させる接点部を必要最低限の間だけ接触させることで、接点の摩耗を低減できるという効果を有し、特に、積層された複数の筐体が、積層方向に沿う軸を介して回動自在となった積層型携帯端末に用いて有用である。
また、本発明の携帯端末は、使用者が希望する機能の追加や削除や変更が可能となり、携帯端末の使い勝手が向上するという効果を有し、本体ユニットとオプションユニットが積層された携帯端末として有用である。
【図面の簡単な説明】
【０１５１】
【図１】本発明の第１実施形態における積層型携帯端末の斜視図である。
【図２】本発明の第１実施形態における積層型携帯端末の分解斜視図である。
【図３】本発明の第１実施形態における積層型携帯端末の本体筐体上面を示す斜視図である。
【図４】本発明の第１実施形態における積層型携帯端末の本体筐体下面を示す斜視図である。
【図５】本発明の第１実施形態における積層型携帯端末の本体筐体に設けた回動支点穴を示す下面図である。
【図６】本発明の第１実施形態における積層型携帯端末のオプション筐体上面を示す斜視図である。
【図７】本発明の第１実施形態における積層型携帯端末のオプション筐体下面を示す斜視図である。
【図８】本発明の第１実施形態における積層型携帯端末のオプション筐体に設けた回動支点軸を示す上面図である。
【図９】本発明の第１実施形態における積層型携帯端末のオプション筐体に設けた回動支点穴を示す下面図である。
【図１０】本発明の第２実施形態における積層型携帯端末の本体筐体上面を示す斜視図である。
【図１１】本発明の第２実施形態における積層型携帯端末の本体筐体下面を示す斜視図である。
【図１２】本発明の第２実施形態における積層型携帯端末の本体筐体に設けた回動支点穴を示す下面図である。
【図１３】本発明の第２実施形態における積層型携帯端末のオプション筐体上面を示す斜視図である。
【図１４】本発明の第２実施形態における積層型携帯端末のオプション筐体下面を示す斜視図である。
【図１５】本発明の第２実施形態における積層型携帯端末のオプション筐体に設けた回動支点軸を示す上面図である。
【図１６】本発明の第２実施形態における積層型携帯端末のオプション筐体に設けた回動支点穴を示す下面図である。
【図１７】本発明の第３実施形態における積層型携帯端末の本体筐体上面を示す斜視図である。
【図１８】本発明の第３実施形態における積層型携帯端末の本体筐体下面を示す斜視図である。
【図１９】本発明の第３実施形態における積層型携帯端末の本体筐体に設けた回動支点穴を示す下面図である。
【図２０】本発明の第３実施形態における積層型携帯端末のオプション筐体上面を示す斜視図である。
【図２１】本発明の第３実施形態における積層型携帯端末のオプション筐体下面を示す斜視図である。
【図２２】本発明の第３実施形態における積層型携帯端末のオプション筐体に設けた回動支点軸を示す上面図である。
【図２３】本発明の第３実施形態における積層型携帯端末のオプション筐体に設けた回動支点穴を示す下面図である。
【図２４】本発明の第３実施形態における積層型携帯端末の斜視図である。
【図２５】本発明の第３実施形態における積層型携帯端末の斜視図である。
【図２６】本発明の第３実施形態における積層型携帯端末の斜視図である。
【図２７】本発明の第３実施形態における積層型携帯端末の斜視図である。
【図２８】本発明の第４実施形態における積層型携帯端末の分解断面図である。
【図２９】本発明の第４実施形態における積層型携帯端末の断面図である。
【図３０】本発明の第４実施形態における積層型携帯端末の本体筐体を示す断面図である。
【図３１】本発明の第５実施形態における積層型携帯端末の斜視図である。
【図３２】本発明の第６実施形態における積層型携帯端末の斜視図である。
【図３３】本発明における積層型携帯端末の斜視図である。
【図３４】本発明の第７実施形態における携帯端末の斜視図
【図３５】同実施形態における携帯端末の分解斜視図
【図３６】同実施形態における本体ユニットの軸支持用凹部内周面の展開図
【図３７】同実施形態におけるオプションユニットの回動軸円周面の展開図
【図３８】同実施形態におけるオプションユニットの軸支持用凹部内周面の展開図
【図３９】同実施形態におけるオプションユニットの回動軸の平面図
【図４０】同実施形態における本体ユニットあるいはオプションユニットの軸支持用凹部の平面図
【図４１】本発明の第８実施形態における携帯端末の斜視図
【図４２】本発明の第９実施形態におけるオプションユニットの回動軸の平面図
【図４３】同実施形態における本体ユニットあるいはオプションユニットの軸支持用凹部
【図４４】本発明の第１０実施形態における携帯端末の斜視図
【符号の説明】
【０１５２】
１００  積層型携帯端末
１１０  本体筐体
１１１  表示部
１１２  操作部
１２０  オプション筐体
１２１  フルキーボード用オプション筐体
１２１ａ  フルキーボード
１２２  スピーカ用オプション筐体
１２２ａ  スピーカ
１２３  ゲーム用オプション筐体
１２３ａ  入力キー
１２３ｂ  十字キー
１２４  カメラ用オプション筐体
１２４ａ  カメラ
１２４ｂ  液晶画面
１２５  テレビ用オプション筐体
１２５ａ  液晶画面
１２６  スライドパッド
１３０  回動支点軸
１３０ａ  回動支点軸上面
１３０ｂ  回動支点軸円周面
１３１  回動支点穴
１３１ａ  回動支点穴底面
１３１ｂ  回動支点穴円周面
１３２  爪部材
１３３  爪部材係合溝
１３４  ロック部材
１３５  ロック溝
１４０  信号導通接点バネ
１４１  スルー接点
１４２  スルー接点バネ
１４３  信号導通接点
１５０  接点カバー
１６０  オプション筐体検出接点バネ
１６１  オプション筐体検出スルー接点
１６２  オプション筐体検出スルー接点バネ
１６３  オプション筐体検出接点
１７１  角度検出部材（ホール素子）
１７２  角度検出部材（磁石）
１８０  蓋部材
１９０  本体筐体に設けたタップ
１９５  オプション筐体固定ネジ挿入穴
２００  積層型携帯端末
２０１  オプション筐体固定ネジ
２０１ａ  ネジ
２０１ｂ  タップ
３００  積層型携帯端末
４００  積層型携帯端末
５００  積層型携帯端末
６００  積層型携帯端末
１，１５，１９，２７  本体ユニット
２，３，４，１６，１７，１８，２０，２１，２２，２８  オプションユニット
５，２５  軸支持用凹部
６，２３  回動軸
７  溝
８  爪
９，１１  中継用接点
１０，１２  情報伝達用接点
１３  係合部
１４  被係合部
２４  ホール素子
２６  磁石
【図１】
0004549391.tif 000002
【図２】
0004549391.tif 000003
【図３】
0004549391.tif 000004
【図４】
0004549391.tif 000005
【図５】
0004549391.tif 000006
【図６】
0004549391.tif 000007
【図７】
0004549391.tif 000008
【図８】
0004549391.tif 000009
【図９】
0004549391.tif 000010
【図１０】
0004549391.tif 000011
【図１１】
0004549391.tif 000012
【図１２】
0004549391.tif 000013
【図１３】
0004549391.tif 000014
【図１４】
0004549391.tif 000015
【図１５】
0004549391.tif 000016
【図１６】
0004549391.tif 000017
【図１７】
0004549391.tif 000018
【図１８】
0004549391.tif 000019
【図１９】
0004549391.tif 000020
【図２０】
0004549391.tif 000021
【図２１】
0004549391.tif 000022
【図２２】
0004549391.tif 000023
【図２３】
0004549391.tif 000024
【図２４】
0004549391.tif 000025
【図２５】
0004549391.tif 000026
【図２６】
0004549391.tif 000027
【図２７】
0004549391.tif 000028
【図２８】
0004549391.tif 000029
【図２９】
0004549391.tif 000030
【図３０】
0004549391.tif 000031
【図３１】
0004549391.tif 000032
【図３２】
0004549391.tif 000033
【図３３】
0004549391.tif 000034
【図３４】
0004549391.tif 000035
【図３５】
0004549391.tif 000036
【図３６】
0004549391.tif 000037
【図３７】
0004549391.tif 000038
【図３８】
0004549391.tif 000039
【図３９】
0004549391.tif 000040
【図４０】
0004549391.tif 000041
【図４１】
0004549391.tif 000042
【図４２】
0004549391.tif 000043
【図４３】
0004549391.tif 000044
【図４４】
0004549391.tif 000045